(57)【要約】【課題】複数の液晶パネルを有する液晶表示装置において、一部の液晶パネルしか表示を要しない場合に、表示を要しない液晶パネルにおいて電力を消費する、および表示を要しない液晶パネルからの漏光によるちらつきが発生する。【解決手段】複数の液晶パネルの電源を個別に制御できるようにして表示を要しない液晶パネルを駆動しないようにし、さらにノーマリーブラックの液晶パネルを用いる、もしくは液晶パネルとバックライト装置の間に遮光手段を設けることにより、駆動をしない液晶パネルからの漏光を低減した。【選択図】　図１
2004021165.tif 000002
【特許請求の範囲】
【請求項１】
複数の液晶パネルと、前記複数の液晶パネルの電源を個別に制御する電源制御部と、バックライト装置を備え、前記液晶パネルの電源を個別に制御することが可能な液晶表示装置。
【請求項２】
液晶パネルはノーマリーブラックのものを用いた請求項１に記載の液晶表示装置。
【請求項３】
液晶パネルとバックライト装置の間に遮光と透過を選択できる遮光手段を設けた請求項１に記載の液晶表示装置。
【請求項４】
バックライト装置と遮光手段の間に反射と透過を選択できる反射手段を設けた請求項３に記載の液晶表示装置。
【請求項５】
反射手段にて反射をした場合、バックライト装置を調光する請求項４に記載の液晶表示装置。
【発明の詳細な説明】
【０００１】
【発明の属する技術分野】
本発明は液晶表示装置に関するものである。
【０００２】
【従来の技術】
近年、液晶表示装置は、テレビ用途としての市場が拡大しつつある。また、薄型軽量の特長を活かし、単に従来のブラウン管を用いたテレビの置き換えとなるだけでなく、新たな使用形態を提案する報告がなされている。そのひとつに実開平４−２５３８１号に示されるような、バックライトの周囲に複数の液晶パネルを設けたものがある。その具体例として、平行に配置した２枚の液晶パネルの間にバックライト装置を設けたものの場合、対面する人の間に液晶表示装置を置いても両者が表示される画像を見ることができる。このように画像表示装置は壁際に配置し一方向から見るものであるという概念を払拭することができる考案がなされた。
【０００３】
【発明が解決しようとする課題】
しかしながら上記従来の構成では、複数の液晶パネルのうち一部の液晶パネルしか必要としない場合に、残る他のパネルが駆動され点灯しているため以下の問題点を有していた。
【０００４】
具体的には、第１に、有効な利用がされていないにも関らずパネルを駆動しているため無駄な電力を消費しているという問題点である。
【０００５】
第２に、必要とされていないパネルからの無用な光を直視したり、もしくは壁面、床面などの反射を経て視聴者の視界に入ることによりちらつき等を認識してしまうという問題点である。
【０００６】
本発明は上記従来の問題点を解決するもので、表示が不必要な液晶パネルにおける駆動に要する消費電力を削減することができ駆動を停止した液晶パネルからの不要な漏光を低減することができる液晶表示装置を提供することを目的とする。
【０００７】
【課題を解決するための手段】
本発明の第１の液晶表示装置は上記第１の問題点を解決すべく、複数の液晶パネルと、前記複数の液晶パネルの電源を個別に制御する電源制御部と、バックライト装置を備え、前記液晶パネルの電源を個別制御することが可能なことを特徴とした。
【０００８】
本発明の第２の液晶表示装置は上記第１および第２の問題点を解決すべく、第１の液晶表示装置における液晶パネルをノーマリーブラックのものとした。
【０００９】
ここで、ノーマリーブラックとは液晶セルに電圧を印加しない状態で黒表示となり、電圧を印加すると白表示となる液晶パネルを指す。逆に、電圧を印加しない状態で白表示となり、電圧を印加すると黒表示となる液晶パネルはノーマリーホワイトと呼ばれる。
【００１０】
本発明の第３の液晶表示装置は上記第１および第２の問題点を解決すべく、第１の液晶表示装置において液晶パネルとバックライト装置の間に遮光と透過を選択できる遮光手段を設けた。
【００１１】
本発明の第４の液晶表示装置は上記第１および第２の問題点を解決すべく、第３の液晶表示装置においてバックライト装置と遮光手段の間に反射と透過を選択できる反射手段を設けた。
【００１２】
本発明の第５の液晶表示装置は上記第１および第２の問題点を解決すべく、第４の液晶表示装置において反射手段にて反射をした場合、バックライト装置を調光するものとした。
【００１３】
【発明の実施の形態】
以下、本発明の液晶表示装置について図面を参照しながら説明する。
【００１４】
（実施の形態１）
本発明の実施の形態１における液晶表示装置の構成を示すブロック図を図１に示す。以下の説明におけるバックライト装置は直下型であるものとする。使用者により選択された個々のパネルの表示／非表示は、スイッチ１１を通じ制御信号として電源制御部１２に入力される。電源制御部１２は制御信号に基づき個々のパネル駆動回路１３への給電／非給電を切り替える。パネル駆動回路１３は、電源制御部１２より電源を供給された場合には液晶パネル１４を駆動し、電源が供給されない場合は液晶パネル１４の駆動を行わない。
【００１５】
以上のような構成により、複数の液晶パネルのうち使用者の必要とする液晶パネルのみを選択して駆動することができ、不必要な液晶パネルの駆動を停止することにより消費電力を削減することができる。
【００１６】
（実施の形態２）
本発明の第２の液晶表示装置は液晶パネル１４をノーマリーブラックとした点以外は第１の発明と同様である。液晶パネルをノーマリーブラックとしたことにより、使用者が不必要としたため駆動を停止した液晶パネルは透過率が小さく、黒表示となる。その結果、駆動を停止した液晶パネルを透過するバックライト光を少量に抑えることができる。
【００１７】
以上のような構成により、表示が不必要な液晶パネルにおける駆動に要する消費電力を削減できることに加え、駆動を停止した液晶パネルからの不要な漏光を低減することができる。
【００１８】
（実施の形態３）
本発明の実施の形態３における液晶表示装置の構成を示すブロック図を図２に示す。遮光手段２１が加わった以外は第１の発明と同様である。遮光手段２１は使用者が不必要としたため駆動を停止した液晶パネルに照射されるバックライト光を遮断するためのものである。
【００１９】
遮光手段２１の一例を以下に説明する。図３は遮光手段の構造図である。遮光性があり軟質なシートを用い、図３に示すように下部の透過部位３１はバックライト光を透過させる目的で液晶パネルのサイズに切り抜き、上部の遮光部位３２はバックライト光を遮断する目的で液晶パネルのサイズを残す。このシートを液晶表示装置の上部、下部に設けたリールで巻き取れるようにし、上側のリールに巻き取れば透過部位３１が液晶パネルと重なり光を通過する。逆に下側のリールに巻き取れば遮光部位３２が液晶パネルと重なり光を遮断できる。このようにバックライト光を機械的に遮断することから、本発明の効果は液晶パネルがノーマリーホワイトであるかノーマリーブラックであるかは問わない。なお、一般的に液晶パネルの透過率は黒表示をしてもゼロとなならないことから液晶パネルがノーマリーブラックである場合にも効果が期待でき、表示を必要としない液晶パネルからの漏光をより完全に遮断することができる
以上のような構成により、表示が不必要な液晶パネルにおける駆動に要する消費電力を削減できることに加え、駆動を停止した液晶パネルからの不要な漏光を第２の液晶表示装置よりも大幅に低減することができる。
【００２０】
なお、その他の遮光手段としては例えば遮光性のある板状の物体を挿入する手段や、さらに前記遮光性のある板状の物体を短冊状にして折りたたむことで省スペースにしたもの等が考えられるが本発明において遮光の手段は詳細に問わない。
【００２１】
また、遮光手段の動作をスイッチ１１に連動して電気等を動力源として行うか、あるいは使用者が必要に応じて手動で行うかも本発明においては問わない。
【００２２】
（実施の形態４）
本発明の実施の形態４における液晶表示装置の構成を示すブロック図を図５に示す。反射手段５１が加わった以外は第３の発明と同様である。反射手段５１は使用者が不必要としたため駆動を停止した液晶パネルに照射されるバックライト光を反射するためのものである。
【００２３】
反射手段５１の一例を以下に説明する。図４は反射手段の構造図である。金属を蒸着し金属光沢を有するシートや、サイドエッジ型バックライト装置の構成部品である反射シートに代表される白色で反射特性の優れた高分子シート（ポリエチレンテレフタラート等）を用い、図４に示すように下部の透過部位４１はバックライト光を透過させる目的で液晶パネルのサイズに切り抜き、上部の反射部位４２はバックライト光を反射する目的で液晶パネルのサイズを残す。このシートを液晶表示装置の上部、下部に設けたリールで巻き取れるようにし、上側のリールに巻き取れば透過部位４１が液晶パネルと重なり光を通過する。逆に下側のリールに巻き取れば反射部位４２が液晶パネルと重なり光を反射できる。このような反射手段によりバックライト光を必要に応じて反射することができる。
【００２４】
以上のような構成により、表示が不必要な液晶パネルへ照射されるバックライト光を遮断するとともに、表示を行う液晶パネルの方へバックライト光を廻すことができ、表示を行う液晶パネルにおける表示を明るくすることができる。
【００２５】
なお、反射手段５１は遮光手段２１と連動させて使用することになるが、両者を張り合わせることで操作を集約することができる。また反射手段５１に金属板など遮光しつつ反射する材料を用いた場合、反射手段５１と遮光手段２１の役割を兼ね備えているため、遮光手段は不要となる。
【００２６】
（実施の形態５）
本発明の実施の形態５における液晶表示装置の構成を示すブロック図を図６に示す。調光制御部６１が加わった以外は第４の液晶表示装置と同様である。調光制御部６１はスイッチ１１の制御信号に応じてバックライト装置の調光を行う。例えば、遮光手段２１により反射された光の分、バックライト装置を減光し、使用する液晶パネルにおける明るさが反射手段５１が反射をしない場合（透過した場合）と等しくなるようにバックライト装置を駆動する。
【００２７】
以上のような構成により、不必要な液晶パネルの駆動を停止した際に、液晶パネルの駆動に要する電力のみならず、バックライト装置で消費される電力の一部も削減することができる。
【００２８】
【発明の効果】
以上のように本発明は、複数の液晶パネルのうち必要なものだけを駆動することにより、消費電力の削減をすることができるという優れた効果が得られる。
【００２９】
また、ノーマリーブラックの液晶パネルを用いることにより、使用しない液晶パネルからの漏光を低減することができるという優れた効果が得られる。
【００３０】
さらに、液晶パネルとバックライト装置の間に遮光手段を設けることにより、使用しない液晶パネルからの漏光を大幅に低減することができるという優れた効果が得られる。
【００３１】
また、バックライト装置と遮光手段の間に反射手段を設けることにより、表示を必要とする液晶パネルの表示を明るくすることができるという優れた効果が得られる。
【００３２】
さらに、調光制御部を設けバックライト装置の調光をすることにより、バックライト装置の消費電力を削減することができるという優れた効果が得られる。
【図面の簡単な説明】
【図１】本発明の実施の形態１および２における液晶表示装置の構成を示すブロック図
【図２】本発明の実施の形態３における液晶表示装置の構成を示すブロック図
【図３】遮光手段の構造図
【図４】反射手段の構造図
【図５】本発明の実施の形態４における液晶表示装置の構成を示すブロック図
【図６】本発明の実施の形態５における液晶表示装置の構成を示すブロック図
【符号の説明】
１１　スイッチ
１２　電源制御部
１３　駆動回路
１４　液晶パネル
１５　バックライト装置
１６　液晶表示装置
２１　遮光手段
３１　透過部位
３２　遮光部位
４１　透過部位
４２　反射部位
５１　反射手段
６１　調光制御部
【図１】
2004021165.tif 000003
【図２】
2004021165.tif 000004
【図３】
2004021165.tif 000005
【図４】
2004021165.tif 000006
【図５】
2004021165.tif 000007
【図６】
2004021165.tif 000008